(57)【要約】【課題】  電力を有効に活用できる小型化した発光装置を提供する。【解決手段】  第１端部２ａおよび第２端部２ｂを有する交流電源２と、交流電源２の第１端部２ａおよび第２端部２ｂと接続された、第１整流回路４１と、第１整流回路４１と接続された第１発光部３１と、第１発光部３１と接続された第２発光部３２と、第２発光部３２と接続された第３発光部３３とを有するとともに、第１発光部３１と第２発光部３２との間に第１分岐点３ａおよび第２発光部３２と第３発光部３３との間に第２分岐点３ｂが設けられた発光部３と、第１分岐点３ａと接続された、第２整流回路４２と、第２分岐点３ｂと接続された、第３整流回路４３と、第２端部２ｂと第２整流回路４２および第３整流回路４３と接続された、位相を転換するコンデンサ５１と、を備えていることを特徴とする発光装置１。【選択図】  図１
2017212435.tif 000002
【特許請求の範囲】
【請求項１】
第１端部および第２端部を有する交流電源と、
前記交流電源の前記第１端部および前記第２端部と接続された、第１整流回路と、
前記第１整流回路と接続された第１発光部と、前記第１発光部と接続された第２発光部と、前記第２発光部と接続された第３発光部とを有するとともに、前記第１発光部と前記第２発光部との間に第１分岐点および前記第２発光部と前記第３発光部との間に第２分岐点が設けられた発光部と、
前記第１分岐点と接続された、第２整流回路と、
前記第２分岐点と接続された、第３整流回路と、
前記第２端部と前記第２整流回路および前記第３整流回路と接続された、位相を転換するコンデンサと、を備えていることを特徴とする発光装置。
【請求項２】
請求項１に記載の発光装置であって、
前記第１分岐点と前記第２分岐点との間に、電流制限回路をさらに備えていることを特徴とする発光装置。
【請求項３】
請求項１に記載の発光装置であって、
前記第１整流回路と前記第１分岐点との間および前記第２分岐点と前記第１整流回路との間に、電流制限回路をさらに備えていることを特徴とする発光装置。
【請求項４】
請求項３に記載の発光装置であって、
前記第１分岐点と前記第２整流回路との間および前記第２分岐点と前記第３整流回路との間に、第２の電流制限回路をさらに備えていることを特徴とする発光装置。
【請求項５】
請求項１〜４のいずれか１つに記載の発光装置であって、
前記第１端部と前記第１発光部との間に、第２のコンデンサおよび第３のコンデンサを備えているとともに、
前記第３発光部と前記第１整流回路との間と、前記第２のコンデンサと前記第３のコンデンサとの間と接続された第４のコンデンサとを備えたことを特徴とする発光装置。
【請求項６】
請求項１〜５のいずれか１つに記載の発光装置であって、
前記発光部は、並列に接続された複数の発光回路から構成されていることを特徴とする発光装置。
【請求項７】
請求項１〜６のいずれか１つに記載の発光装置であって、
前記発光部は、前記第１整流回路と前記第１発光部との間に第１端部および前記第３発光部と前記第１整流回路との間に第２端部を有しており、
前記第１整流回路および前記第１端部の間と、前記第２端部および前記第１整流回路の間とを接続する平滑用コンデンサをさらに備えていることを特徴とする発光装置。
【請求項８】
請求項１〜７のいずれか１つに記載の発光装置であって、
前記第１整流回路と前記第１端部との間に、一端である第３端部が接続されたフリッカ抑制用整流回路と、
前記フリッカ抑制用整流回路の他端である第４端部と、前記第２端部と前記第１整流回路との間に接続されたフリッカ抑制用コンデンサと、
前記第４端部と前記第１分岐点および前記第２整流回路と接続されたスイッチと、
前記第１端部と前記第１分岐点との間に接続された電流検出装置と、
をさらに備えていることを特徴とする発光装置。
【請求項９】
請求項８に記載の発光装置であって、
前記第１整流回路と前記第２端部との間に一端である第５端部が接続され、もう一端である第６端部が前記フリッカ抑制用コンデンサと接続された、第２のフリッカ抑制用整流回路と、
前記第６端部と前記第２分岐点および前記第３整流回路と接続された第２のスイッチと、前記第２分岐点と前記第２端部との間に接続された第２の電流検出装置と、
をさらに備えていることを特徴とする発光装置。
【請求項１０】
請求項１〜９のいずれか１つに記載の発光装置であって、
前記第２発光部は第４発光部、第５発光部および第６発光部を有するとともに、前記第４発光部と前記第５発光部との間に第３分岐点および前記第５発光部と前記第６発光部との間に第４分岐点が設けられており、
前記第３分岐点と接続された、第４整流回路と、
前記第４分岐点と接続された、第５整流回路と、
前記第２端部と前記第４整流回路および前記第５整流回路と接続された、位相を転換する第５のコンデンサと、をさらに備えていることを特徴とする発光装置。
【発明の詳細な説明】
【技術分野】
【０００１】
本発明は、発光ダイオード等の発光素子を光源とした発光装置に関する。
【背景技術】
【０００２】
近年、発光ダイオード等の発光素子を光源とする発光装置が提案されている。このような発光装置は、交流電圧を整流平滑した直流電圧を発光素子に印加することで点灯する（特許文献１参照）。
【先行技術文献】
【特許文献】
【０００３】
【特許文献１】特開２０１１−５４７３８号
【発明の概要】
【発明が解決しようとする課題】
【０００４】
特許文献１に開示された技術では、発光装置は交流電源に接続された、複数の発光素子からなる第１の発光部と、複数の発光素子からなる第２の発光部を有している。交流電源に対して、第１の発光部と第２の発光部とは並列に接続されている。このとき、交流電源の電力を有効活用するために、第２の発光部は交流電圧の位相をずらすためにコンデンサ等の容量素子が接続されている。
【０００５】
しかしながら、特許文献１の技術では、第１の発光部と第２の発光部とが並列に接続されているために、交流電源の電圧の大きさと発光素子の消費電力の関係から、一定数以上の発光素子が必要であり、発光素子の数が多くなる場合があった。
【課題を解決するための手段】
【０００６】
本発明の実施形態にかかる発光装置は、第１端部および第２端部を有する交流電源と、前記交流電源の前記第１端部および前記第２端部と接続された、第１整流回路と、前記第１整流回路と接続された第１発光部と、前記第１発光部と接続された第２発光部と、前記第２発光部と接続された第３発光部とを有するとともに、前記第１発光部と前記第２発光部との間に第１分岐点および前記第２発光部と前記第３発光部との間に第２分岐点が設けられた発光部と、前記第１分岐点と接続された、第２整流回路と、前記第２分岐点と接続された、第３整流回路と、前記第２端部と前記第２整流回路および前記第３整流回路と接続された、位相を転換するコンデンサと、を備えていることを特徴とする。
【発明の効果】
【０００７】
本発明の実施形態に係る発光装置は、上記のような構成であることによって、小型化を実現した発光装置とすることができる。
【図面の簡単な説明】
【０００８】
【図１】本発明の第１の実施形態に係る発光装置の回路図である。
【図２】発光装置の動作によって得られる電流の波形図で、図２（ａ）は理想的な正弦波を示しており、図２（ｂ）は図１に示した本発明の第１の実施形態に係る発光装置の動作によって得られる波形図である。
【図３】本発明の第１の実施形態に係る発光装置の回路図である。
【図４】本発明の第１の実施形態に係る発光装置の回路図である。
【図５】本発明の第１の実施形態に係る発光装置の回路図である。
【図６】本発明の第２の実施形態に係る発光装置の回路図である。
【図７】本発明の第２の実施形態に係る発光装置の回路図である。
【図８】本発明の第２の実施形態に係る発光装置の回路図である。
【図９】本発明の第３の実施形態に係る発光装置の回路図である。
【図１０】本発明の第４の実施形態に係る発光装置の回路図である。
【図１１】本発明の第５の実施形態に係る発光装置の回路図である。
【図１２】本発明の第５の実施形態に係る発光装置の回路図である。
【図１３】本発明の第６の実施形態に係る発光装置の回路図である。
【図１４】本発明の第６の実施形態に係る発光装置の回路図である。
【発明を実施するための形態】
【０００９】
発光装置は、灯具などに収納された照明器具に用いることができる。この照明器具は、例えば、植物工場または室内照明等に使用される。以下、本発明の実施形態に係る発光装置について、図面を参照しながら説明する。
【００１０】
＜発光装置の構成＞
（第１の実施形態）
図１は本発明の第１の実施形態に係る発光装置１の回路図である。この図において、発光装置１は、交流電源２、第１整流回路４１、発光部３、第２整流回路４２、第３整流回路４３およびコンデンサ５１を備えている。また、図２は、発光装置１の動作によって得られる電流の波形図であり、図２（ａ）は理想的な正弦波の波形図、図２（ｂ）は図１に示した発光装置１の動作によって得られる電流の波形図である。
【００１１】
図１に示すように、交流電源２は、第１端部２ａおよび第２端部２ｂを有している。現在、日本の家庭のコンセントの１００Ｖの電圧は、５０〜６０Ｈｚの交流電源が使用されている。これに対応して、本発明の実施形態に係る発光装置１の交流電源２も、１００Ｖの電圧、５０〜６０Ｈｚの交流電源となっている。
【００１２】
交流電源２は、第１整流回路４１と電気的に接続される。具体的には、第１端部２ａと第１整流回路４１の入力端部の一端および第２端部２ｂと第１整流回路４１の入力端部の他端が電気的に接続される。具体的には、導線等を用いて、導電性の接合材によって接合される。導線は、たとえば、銅、アルミニウム等が用いられており、接合材はたとえば、スズ、銀、銅からなる合金、導電性樹脂等が用いられる。
【００１３】
第１整流回路４１は、発光部３と接続されている。具体的には、第１整流回路４１の出力端子の両端がそれぞれ発光部３の両端と電気的に接続されている。交流電源２と発光部３は第１整流回路４１を介して電気的に接続されている。
【００１４】
第１整流回路４１は、交流電源２と発光部３とを電気的に接続する。整流回路としては、単相半波整流（以下、半波整流回路ともいう。）、単相全波整流（以下、全波整流回路ともいう。）、三相半波整流および三相全波整流である。このうち第１整流回路４１は、いわゆる単相全波整流回路のことであり、たとえばブリッジダイオードである。ブリッジダイオードは、４つのダイオードを組合わせて構成されている。ブリッジダイオードは、交流電源２の交流電圧を直流電圧に変換することができる。
【００１５】
発光部３は、複数の発光素子３０が直列に接続されている。発光素子３０は、たとえば、発光ダイオード、有機ＥＬ（electroluminescence）、半導体レーザー等である。また、発光部３は、第１発光部３１、第２発光部３２および第３発光部３３で構成されている。それぞれの発光部３１〜３３は、発光素子３０から成っている。たとえば、第１発光部３１および第３発光部３３は、単数の発光素子３０から構成されていてもよいし、複数の発光素子３０から構成されていてもよい。また、たとえば第２発光部３２は、複数の発光素子３０から構成されている。
【００１６】
発光部３は、第１発光部３１、第２発光部３２および第３発光部３３の発光素子３０の数をさまざまに組合わせることができる。たとえば、発光部３における発光素子３０の並べ方は、たとえば第１発光部３１および第３発光部３３の発光素子３０の数が多いほど、実効電力を高くすることができる。また、たとえば第１発光部３１および第３発光部３３の発光素子３０の数が少ないほど、力率を高くすることができる。
【００１７】
発光部３は、両端に第１端部３１１と、第２端部３１２を有している。発光部３は、第１端部３１１と、第２端部３１２との間であって、第１発光部３１と第２発光部３２との間に第１分岐点３ａを有しており、第２発光部３２と第３発光部３３との間に第２分岐点３ｂを有している。
【００１８】
第２整流回路４２は、発光部３の第１分岐点３ａと電気的に接続されている。具体的には、上述したような導電性の接合材によって接合される。第２整流回路４２は、第１整流回路４１とは異なり、いわゆる半波整流回路のことであり、たとえばダイオードである。このダイオードは、後述する第３整流回路４３と併用することで、交流電源２の交流電圧を直流電圧に変換することができる。併用することで、発光装置１としては、単相全波整流とすることができる。
【００１９】
第３整流回路４３は、発光部３の第２分岐点３ｂと電気的に接続されている。具体的には、導線等を用いて、上述したような導電性の接合材によって接合される。第３整流回路４３は、第１整流回路４１とは異なり、いわゆる半波整流回路のことであり、たとえばダイオードである。このダイオードは、前述した第２整流回路４２と併用することで、交流電源２の交流電圧を直流電圧に変換することができる。
【００２０】
コンデンサ（第１のコンデンサ）５１は、交流電源２と第２整流回路４２および第３整流回路４３と電気的に接続されている。コンデンサ５１は、たとえばフィルムコンデンサ、積層セラミックコンデンサであり、容量は０．４μＦ〜５μＦである。コンデンサ５１が設けられていることによって、交流電源２から出力される電流の位相をずらすことができる。
【００２１】
発光装置１は、交流電源２、第１整流回路４１および発光部３が、順に電気的かつ物理的に接続されている。また、交流電源２、コンデンサ５１、第２整流回路４２、発光部３の第１分岐点３ａ、第２発光部３２、第２分岐点３ｂおよび第３整流回路４３が、順に電気的かつ物理的に接続されている。このことによって、交流電源を利用して、発光素子３０が点灯する発光装置１を提供することができる。また、発光装置１は、コンデンサ５１を介した回路を有することで、交流電源の電流の位相をずらし、発光素子３０が点灯するタイミングをずらすことができる。
【００２２】
上述した発光装置１を実際に動作させると、図２（ｂ）に示した電流の波形図が得られる。理想的な電流の波形図は図２（ａ）に示した電流の波形図であり、正弦波である。発光ダイオードは、点灯させるのに必要な電圧があり、その電圧を超えないと点灯しない。位相をずらした回路と、位相がもとのままの回路との両方を有することで、この値を超える時間を増やすことができる。波形図で見ると、正弦波に近づいていることがわかる。つまり、交流電源２の電力の調整をすることなく、点灯時間を長くすることができる。このとき、第２発光部３２に設けられた複数の発光素子３０は、交流電源２から出力された電流の位相がもとのままである場合と、位相がずれた場合との両方ともに接続されている。
【００２３】
つまり、交流電源２から出力された電流の位相がもとのままである場合と、位相がずれ
た場合とが別々に並列に接続されているものと比較すると、同じ点灯時間において発光素子３０の数を少なくすることができる。つまり、発光装置１を小型化することができる。
【００２４】
以下、上述した構成を有する回路の動作を詳細に追っていく。交流電源２の電源電圧の瞬時値をＶとして、発光部３の順方向降下電圧をＶＦＡ、第１発光部３１の順方向降下電圧をＶＦ１、第２発光部３２の順方向降下電圧をＶＦ２、第３発光部３３の順方向降下電圧をＶＦ３とする。また、コンデンサ５１の電圧（電源側を正極とする）をＶＣ、とすると、電源電圧Ｖが０Ｖから上昇してＶＦ１＋ＶＦ２に至る間は第１整流回路４１、第２整流回路４２および第３整流回路４３の全てにおいてほとんど電流が流れない。
【００２５】
電源電圧ＶがＶＦ１＋ＶＦ２を超えると、第１整流回路４１の正極から第１発光部３１、第２発光部３２を通って第３整流回路４３に至る経路に電流が流れ始める。第３整流回路４３を流れる電流によってコンデンサ５１に電荷が蓄積されるため、コンデンサ５１の電圧Ｖｃが上昇する。コンデンサ５１の電圧と電源電圧の差Ｖｃ−ＶがＶＦ１＋ＶＦ２を超えると、第１発光部３１および第２発光部３２に加わる電圧がＶＦ１＋ＶＦ２を下回り、第３整流回路４３を流れる電流は減少に転ずる。
【００２６】
電源電圧Ｖが上昇してＶＦ１＋ＶＦ２＋ＶＦ３に至ると、第１整流回路４１の正極から第１発光部３１、第２発光部３２、第３発光部３３を通って第１整流回路４１の負極へ至る経路に電流が流れ始める。このとき、第１発光部３１および第２発光部３２には第１整流回路４１の正極から発して第１整流回路４１の負極に至る電流と第１整流回路４１の正極から発して第３整流回路４３に至る電流の両方が流れる。
【００２７】
電源電圧Ｖが最大値を超えて下降に転じ、ＶＦ１＋ＶＦ２＋ＶＦ３を下回ると第１整流回路４１の正極から第１発光部３１、第２発光部３２、第３発光部３３を通って第１整流回路４１の負極へ至る経路を流れる電流も減少する。
【００２８】
電源電圧Ｖが０Ｖを経て−ＶＦ２−ＶＦ３を下回ると、第２整流回路４２から第２発光部３２、第３発光部３３を通って第１整流回路４１の負極に至る経路に電流が流れ始める。このとき、コンデンサ５１に蓄積されていた電荷が放電されるため、ＶＣが低下する。コンデンサ５１が放電された後、続いて逆極性の電荷が蓄積されるため、ＶＣは０Ｖを経てさらに低下する。コンデンサ５１の電圧と電源電圧の差ＶＣ−Ｖが−ＶＦ２−ＶＦ３を下回ると、第２発光部３２および第３発光部３３に加わる電圧がＶＦ２＋ＶＦ３を下回る。そして、第２整流回路４２から第２発光部３２、第３発光部３３を通って第１整流回路４１の負極に至る経路を流れる電流は減少に転ずる。
【００２９】
電源電圧Ｖが下がって−ＶＦ１−ＶＦ２−ＶＦ３に至ると、第１整流回路４１の正極から第１発光部３１、第２発光部３２および第３発光部３３を通って第１整流回路４１の負極へ至る経路に電流が流れ始める。このとき、第２発光部３２および第３発光部３３には第１整流回路４１の正極から発して第１整流回路４１の負極に至る電流と第２整流回路４２から発して第１整流回路４１の負極に至る電流の両方が流れる。
【００３０】
電源電圧Ｖが最小値を超えて上昇に転じ、−ＶＦ１−ＶＦ２−ＶＦ３を上回ると、第１整流回路４１の正極から第１発光部３１、第２発光部３２および第３発光部３３を通って第１整流回路４１の負極へ至る経路を流れる電流も減少する。電源電圧Ｖが０Ｖを経てＶＦ１＋ＶＦ２を超えると、第１整流回路４１の正極から第１発光部３１、第２発光部３２を通って第３整流回路４３に至る経路に電流が流れ始める。
【００３１】
このとき、コンデンサ５１に蓄積されていた電荷が放電されるため、ＶＣが上昇する。コンデンサ５１が放電された後、続いて正極性の電荷が蓄積されるため、ＶＣは０Ｖを経
てさらに上昇する。以下、上記の動作を繰り返す。
【００３２】
以上のような構成であることによって、発光装置１は、電力を有効に活用できる小型化したものとすることができる。それは、交流電源２の電力の調整をすることなく、点灯時間を長くすることができるができるためである。加えて、交流電源２から出力された電流の位相がもとのままである場合と、位相がずれた場合とが別々に並列に接続されているものとを比較すると、同じ点灯時間において発光素子３０の数を少なくすることができる。発光装置１を小型化することができる。
【００３３】
さらに、図３〜５に示すように、本実施形態において、発光装置１は、交流電源２の第１端部と第１発光部３１との間に、第２のコンデンサ５２および第３のコンデンサ５３を備えていてもよい。この場合には、第３発光部３３と、第２のコンデンサ５２と第３のコンデンサ５３との間に第４のコンデンサも備えている。第２のコンデンサ５２、第３のコンデンサ５３および第４のコンデンサ５４は、たとえばフィルムコンデンサ、積層セラミックコンデンサである。第２のコンデンサ５２静電容量は、たとえば０．４μＦ〜５μＦである。第３のコンデンサ５３および第４のコンデンサ５４の静電容量は、たとえば第２のコンデンサ５２の２〜２０倍で、０．８μＦ〜１００μＦである。第２のコンデンサ５２、第３のコンデンサ５３および第４のコンデンサ５４が設けられていることによって、交流電源２から出力される電流の位相をずらすことができる。また、第３のコンデンサ５３および第４のコンデンサ５４の静電容量を第２のコンデンサ５２の静電容量よりも大きくすることで、高い力率を維持しながら点滅（フリッカ）を低減させることができる。
【００３４】
このことによって、第１整流回路４１を流れる電流と、第１のコンデンサ５１と第２のコンデンサ５２とを流れる電流の位相が異なるため、電流を足し合わせても最大電流が大きくならず、点灯時間が長くなるため、出力を高くすることができる。また、正弦波に近い状態とすることができるため、力率を高くすることもできる。また、第３のコンデンサ５３および第４のコンデンサ５４が作用することによって、点滅（フリッカ）の発生を低減することができる。
【００３５】
具体的には、図３に示すように、第１のコンデンサ５１と接続されない第１端部２ａに第２のコンデンサ５２が接続されている。この第２のコンデンサ５２の第１端部２ａが接続される端部のもう一方の端部から第３のコンデンサ５３および第４のコンデンサ５４を介して、第１整流回路４１の出力側にそれぞれ接続されている。この第３のコンデンサ５３および第４のコンデンサ５４は、第１整流回路４１の出力電圧が高いときに充電し、出力電圧が低い時に放電することで、発光部３の点滅（フリッカ）を低減させる作用がある。このとき、第２のコンデンサ５２を備えていることによって、第１整流回路４１の出力電圧が低いときから充電が開始されるようになるため、入力電流のピークを低くすることができ、点滅を低減させつつ、力率の低下を抑制することができる。
【００３６】
このとき、図４および図５に示すように、電流制限部６０を備えていてもよい。また、この場合には、第１整流回路４１、後述する各整流回路と同様に整流器４０を備えている。電流制限部６０を備えていることによって、交流電源２または発光部３の過電流を抑制することができる。
【００３７】
（第２の実施形態）
図６〜５は本発明の第２の実施形態に係る発光装置１の回路図である。これらの図において、発光装置１は、本発明の第１の実施形態に加えて、発光部３と接続された電流制限回路（第１の電流制限回路）６１をさらに備えている点が本発明の第１の実施形態に係る発光装置１と異なる。また、図８では、図７の回路に加えてさらに、第２の電流制限回路６２を備えている。
【００３８】
図６に示すように、発光装置１は、第１分岐点３ａと第２分岐点３ｂとの間に、電流制限回路６１をさらに備えている。電流制限回路６１は、電源または発光部３の過電流を抑制するために、電流を制限するためのものである。電流制限回路６１は、たとえば、抵抗、またはトランジスタを用いた回路等である。電流制限回路６１を用いることで、大きな電流が流れるのを抑制することができる。
【００３９】
また、図７に示すように、発光装置１は、第１分岐点３ａと第１整流回路４１との間および第２分岐点３ｂと第１整流回路４１との間に電流制限回路６１をさらに備えていてもよい。電流制限回路６１は、上記と同様に、電源または発光部３の過電流を抑制するために、電流を制限するためのものである。
【００４０】
また、図８に示すように、発光装置１は、図７に示した回路図に加えて、第１分岐点３ａと第２整流回路４２との間および第２分岐点３ｂと第３整流回路４３との間に第２の電流制限回路６２をさらに備えていてもよい。第２の電流制限回路６２は、電流制限回路６１と同様に、電源または発光部３の過電流を抑制するために、電流を制限するためのものである。
【００４１】
図６に示すように、電流制限回路６１を第１整流回路４１と第２整流回路４２との共通になる箇所に設けることで、電流制限回路６１は１箇所のみで電源の過電流を制限することができる。このため、部品の数が少なく、回路の設計が容易になる。また、図７および図８に示すように、電流制限回路６１および第２の電流制限回路６２を第１整流回路４１、第２整流回路４２および第３整流回路４３のそれぞれに設けることで、それぞれの回路に合わせた電流制限回路６１および第２の電流制限回路６２にすることができ、電源または発光部３の過電流を良好な条件で制限することができる。
【００４２】
（第３の実施形態）
図９は本発明の第３の実施形態に係る発光装置１の回路図である。図９において、発光装置１は、本発明の第１の実施形態に加えて、発光部３の発光素子３０の発光回路３００が並列にさらに接続されている点が本発明の第１の実施形態に係る発光装置１と異なる。
【００４３】
図９に示すように、発光部３は複数の発光素子３０から成っており、この複数の発光素子３０から成る発光回路３００が並列に複数接続されている。発光回路３が並列に複数接続されていることによって、電力を有効に活用しつつ、１列の場合と比較してより強い光を放つことができる。
【００４４】
（第４の実施形態）
図１０は本発明の第４の実施形態に係る発光装置１の回路図である。図１０において、発光装置１は、本発明の第１の実施形態に加えて、第１整流回路４１と接続された平滑用コンデンサをさらに備えている点が本発明の第１の実施形態に係る発光装置１と異なる。
【００４５】
図１０に示すように、発光装置１は、第１整流回路４１と接続された平滑用コンデンサ５０１をさらに備えている。平滑用コンデンサ５０１は、第１整流回路４１および第１端部３１１の間と、第２端部３１２および第１整流回路４１の間とを接続する。このことによって、第１端部３１１と第２端部３１２の間における電圧の変動を抑制し、発光部３の発光量の変動を小さくすることができる。
【００４６】
（第５の実施形態）
図１１および図１２は本発明の第６の実施形態に係る発光装置１の回路図である。図１１において、発光装置１は、本発明の第１の実施形態に加えて、第１整流回路４１と接続された電流検出装置（第１の電流検出装置）７１、フリッカ抑制用整流回路（第１のフリッカ抑制用整流回路）４０１、スイッチ（第１のスイッチ）８１およびフリッカ抑制用コンデンサ５０２をさらに備えている点が本発明の第１の実施形態に係る発光装置１と異なる。また、図１２において、発光装置１は、本発明の第１の実施形態に加えて、第１整流回路４１と接続された電流検出装置７１、第２の電流検出装置７２、フリッカ抑制用整流回路４０１、フリッカ抑制用整流回路４０２、スイッチ８１、第２のスイッチ８２およびフリッカ抑制用コンデンサ５０２をさらに備えている点が本発明の第１の実施形態に係る発光装置１と異なる。
【００４７】
図１１に示すように、発光装置１は、第１整流回路４１と第１端部３１１との間に、フリッカ抑制用コンデンサ５０２が接続されている。具体的には、フリッカ抑制用整流回路４０１の一端である第３端部４０３が第１整流回路４１の出力端子および発光部３の第１端部３１１の間に接続されている。また、フリッカ抑制用整流回路４０１の他端である第４端部４０４が、フリッカ抑制用コンデンサ５０２と接続されている。具体的には、第２端部３１２と第１整流回路４１の出力端子との間にフリッカ抑制用コンデンサ５０２の一端が接続され、第４端部４０４がフリッカ抑制用コンデンサ５０２の他端と接続されている。さらに、第４端部４０４と第１分岐点３ａとの間にスイッチ８１が接続され、第１端部３１１と第１分岐点３ａとの間に電流検出装置７１をさらに備えている。スイッチ８１は、第２整流回路４２とも接続されている。
【００４８】
また、発光装置１は、図１２に示すように、図１１の構成に加えて、第２分岐点３ｂと第２端部３１２との間に第２の電流検出装置７２が接続されている。また、発光装置１は、第１整流回路４１と接続された第２のフリッカ抑制用整流回路４０２を有している。具体的には、第２のフリッカ抑制用整流回路４０２は、一端が第５端部４０５であって、他端が第６端部４０６である。第５端部４０５は、第２端部３１２と第１整流回路４１との間に接続され、第６端部４０６は、フリッカ抑制用コンデンサ５０２と端部と接続される。さらに、第２のスイッチ８２は、第２分岐点３ｂと第６端部４０６と接続されている。上記のような構成をさらに備えていてもよい。
【００４９】
フリッカ抑制用整流回路４０１および第２のフリッカ抑制用整流回路４０２は、たとえばダイオードで構成されている。これらのフリッカ抑制用整流回路４０１および４０２は、いわゆる半波整流回路である。
【００５０】
電流検出装置７１および第２の電流検出装置７２は、たとえばトランジスタ等で構成される回路であり、入力端子に電流が流れると出力端子に電流が流れる。また、第２の電流検出装置１７も電流検出装置７１と同様である。
【００５１】
また、スイッチ８１は、たとえばトランジスタ等で構成されるフリッカ抑制用整流回路４０１と接続され、入力端子に電流が流れると出力端子間が切断され、流れないと出力端子間が接続される。また、第２のスイッチ８２は、第２のフリッカ抑制用整流回路４０２と接続され、スイッチ８１と同様の動作を示す。
【００５２】
また、フリッカ抑制用コンデンサ５０２は、たとえば電解コンデンサ、フィルムコンデンサである。また、フリッカ抑制用コンデンサ５０２の容量は０．１μＦ〜１００μＦである。
【００５３】
電流検出装置７１、フリッカ抑制用整流回路４０１、スイッチ８１、およびフリッカ抑制用コンデンサ５０２をさらに備えていることによって、第１整流回路４１からの電流が流れないときにはフリッカ抑制用コンデンサ５０２を接続し、コンデンサに蓄積された電荷を放出し、発光装置１に電流を流すことができる。これによって発光装置１が点灯しな
い時間をさらに短くすることができ、より強い光を放つことができるとともに、フリッカを低減することができる。また、図１２に示すように、第２の電流検出装置７２、第２のフリッカ抑制用整流回路４０２および第２のスイッチ８２をさらに備えていることによって、交流電源２に流れる電流を調整することができる。
【００５４】
（第６の実施形態）
図１３および図１４は本発明の第６の実施形態に係る発光装置１の回路図である。図１３において、発光装置１は、本発明の第１の実施形態に加えて、第４整流回路４４と、第５整流回路４５と、これらの整流回路に接続された第５のコンデンサ５５をさらに備えている点が本発明の第１の実施形態に係る発光装置１と異なる。
【００５５】
第２発光部３２は、複数の発光素子３０が直列に接続されている。第２発光部３２は、第４発光部３４、第５発光部３５および第６発光部３６で構成されている。それぞれの発光部３４〜３６は、発光素子３０から成っている。第４発光部３４および第６発光部３６は、単数の発光素子３０から構成されていてもよいし、複数の発光素子３０から構成されていてもよい。第５発光部３５は、複数の発光素子３０で構成されている。また、第１分岐点３ｄと、第２分岐点３ｂとの間であって、第４発光部３４と第５発光部３５との間に第３分岐点３ｃを有しており、第５発光部３５と第６発光部３６との間に第４分岐点３ｄを有している。
【００５６】
また、第４整流回路４４は、第３分岐点３ｃと電気的に接続されている。具体的には、導線等を用いて、上述したような導電性の接合材によって接合される。第４整流回路４４は、第１整流回路４１とは異なり、いわゆる半波整流回路のことであり、たとえばダイオードである。このダイオードは、後述する第５整流回路４５と併用することで、交流電源２の交流電圧を直流電圧に変換することができる。
【００５７】
また、第５整流回路４５は、第４分岐点３ｄと電気的に接続されている。具体的には、導線等を用いて、上述したような導電性の接合材によって接合される。第５整流回路４５は、第１整流回路４１とは異なり、いわゆる半波整流回路のことであり、たとえばダイオードである。このダイオードは、前述した第４整流回路４４と併用することで、交流電源２の交流電圧を直流電圧に変換することができる。
【００５８】
第５のコンデンサ５５は、交流電源２と第４整流回路４４との間および交流電源２と第５整流回路４５との間に設けられている。第５のコンデンサ５５は、たとえばフィルムコンデンサ、積層セラミックコンデンサであり、容量は０．４μＦ〜５μＦである。第５のコンデンサ５５が設けられていることによって、交流電源２から出力される電流の位相をずらすことができる。
【００５９】
また、図１４に示すように、発光装置１は、図１３の構成に加えて複数の発光回路３００を有していてもよい。このような構成であることによって、発光装置１は、交流電源２の電流の位相をずらすとともに、発光量を多くすることができる。
【００６０】
以上のような構成によって、交流電源２の電流の位相を２段階でずらすことができるので、より正弦波に近づけることができる。つまり、交流電源２の電力を変えることなく、発光装置１の発光時間を長くすることができるので、交流電源２の電力を有効活用することができる。
【００６１】
以上に説明した、本発明は上述の実施形態に限定されるものではなく、本発明の要旨を逸脱しない範囲において種々の変更等が可能である。さらに、特許請求の範囲に属する変更等は全て本発明の範囲内のものである。
【符号の説明】
【００６２】
１  発光装置
２  交流電源
２ａ  第１端部
２ｂ  第２端部
３  発光部
３１  第１発光部
３２  第２発光部
３３  第３発光部
３４  第４発光部
３５  第５発光部
３６  第６発光部
３ａ  第１分岐点
３ｂ  第２分岐点
３ｃ  第３分岐点
３ｄ  第４分岐点
３１１  第１端部
３１２  第２端部
３０  発光素子
３００  発光回路
４１  第１整流回路
４２  第２整流回路
４３  第３整流回路
４４  第４整流回路
４５  第５整流回路
４０  整流器
４０１  フリッカ抑制用整流回路（第１のフリッカ抑制用整流回路）
４０２  第２のフリッカ抑制用整流回路
４０３  第３端部
４０４  第４端部
４０５  第５端部
４０６  第６端部
５１  コンデンサ（第１のコンデンサ）
５２  第２のコンデンサ
５３  第３のコンデンサ
５４  第４のコンデンサ
５５  第５のコンデンサ
５０１  平滑用コンデンサ
５０２  フリッカ抑制用コンデンサ
６１  電流制限回路（第１の電流制限回路）
６２  第２の電流制限回路
６０  電流制限部
７１  電流検出装置（第１の電流検出装置）
７２  第２の電流検出装置
８１  スイッチ（第１のスイッチ）
８２  第２のスイッチ
【図１】
2017212435.tif 000003
【図２】
2017212435.tif 000004
【図３】
2017212435.tif 000005
【図４】
2017212435.tif 000006
【図５】
2017212435.tif 000007
【図６】
2017212435.tif 000008
【図７】
2017212435.tif 000009
【図８】
2017212435.tif 000010
【図９】
2017212435.tif 000011
【図１０】
2017212435.tif 000012
【図１１】
2017212435.tif 000013
【図１２】
2017212435.tif 000014
【図１３】
2017212435.tif 000015
【図１４】
2017212435.tif 000016